(57)【要約】【課題】  固定装置を、引き抜き力が比較的に大きく、厚さが比較的大きな領域にわたって変化する支持部材と共に使用することができるようにすること。【解決手段】  支持部材（２２）に嵌め込むための固定装置が、デッキプレート（１）と２つのクランプアーム（６，７）を有する。各クランプアーム（６，７）は内側脚部（５）と外側脚部（１０）を有し、外側脚部はデッキプレート（１）に向いた側の端部に支持構造部を有する。各クランプアーム（６）の支持構造部は２つの平坦な側壁（１５，１６）によって形成されており、この側壁は、それぞれの外側脚部（１０）の相互に対向する側方縁部（１３，１４）に形成されており、かつ他方のクランプアーム（６，７）の方向に伸長している。前記各側壁（１５，１６）は、前記デッキプレート（１）に対して斜めに配向された端面（１７）を有し、この端面は、それぞれの外側脚部（１０）とは反対側の端部から該外側脚部（１０）の方向に降下している。
2009534611.tif 000002
【特許請求の範囲】
【請求項１】
支持部材（２２）に嵌め込むための固定装置であって、デッキプレート（１）と、２つのクランプアーム（６，７）とを備え、
前記クランプアーム（６，７）は、前記デッキプレート（１）の対向する縁部側に形成されており、かつ該デッキプレート（１）の一方の側で相互に対向しており、
前記各クランプアーム（６，７）は、他方のクランプアーム（６，７）に向いた内側脚部（５）と、他方のクランプアーム（６，７）とは離隔する側の外側脚部（１０）とを有し、
該外側脚部は接続部分（９）によって、前記デッキプレート（１）とは離隔する側の内側脚部（５）の端部と接続されており、前記デッキプレート（１）に向いた側の端部には支持構造部を有する形式の固定装置において、
各クランプアーム（６）の支持構造部は２つの平坦な側壁（１５，１６）によって形成されており、
該側壁は、それぞれの外側脚部（１０）の相互に対向する側方縁部（１３，１４）に形成されており、かつ他方のクランプアーム（６，７）の方向に伸長しており、
前記各側壁（１５，１６）は、前記デッキプレート（１）に対して斜めに配向された端面（１７）を有し、
該端面は、それぞれの外側脚部（１０）とは離隔する側の端部から該外側脚部（１０）の方向に降下している、
ことを特徴とする固定装置。
【請求項２】
請求項１記載の固定装置において、
前記側壁（１５，１６）の、前記外側脚部（１０）を越えて突出する長さは、前記側壁（１５，１６）の領域における前記内側脚部（５）間の間隔より小さいか、または最大でも同じである、ことを特徴とする固定装置。
【請求項３】
請求項１または２記載の固定装置において、
前記デッキプレート（１）にはねじ構造体（３）が、前記各側壁（１５，１６）の各端面（１７）には隆起部と凹部を備える段付き構造体（１８）が形成されている、ことを特徴とする固定装置。
【請求項４】
請求項１から３までのいずれか一項記載の固定装置において、
前記側壁（１５，１６）の、前記外側脚部（１０）とは離隔する側の端部には、前記デッキプレート（１）の方向に伸長する終端隆起部（１９）がそれぞれ１つ形成されている、ことを特徴とする固定装置。
【請求項５】
請求項４記載の固定装置において、
前記終端隆起部（１９）は、前記外側脚部（１０）を向いて開放した凹部（２３）がそれぞれ形成されている、ことを特徴とする固定装置。
【請求項６】
請求項１から５までのいずれか一項記載の固定装置において、
各内側脚部（５）には収容切欠部（８）が形成されており、
該収容切欠部には、対向する外側脚部（１０）に設けられた側壁（１５，１６）が係合する、ことを特徴とする固定装置。
【請求項７】
請求項１から５までのいずれか一項記載の固定装置において、
前記外側脚部（１０）に設けられた２つの側壁（１５，１６）間の間隔は、前記外側脚部（１０）に対向する内側脚部（５）の幅よりも大きい、ことを特徴とする固定装置。
【請求項８】
請求項１から７までのいずれか一項記載の固定装置において、
各内側脚部（５）にはそれぞれの接続部分（９）の領域で、横方向に伸長する後方把持係止ウェブ（２４）と、他方の内側脚部（５）の方向に伸長する後方把持舌片（２５）とが形成されており、
該後方把持舌片は、他方の内側脚部（５）の後方把持係止ウェブ（２４）を後方からキャッチ係止し、これにより前記クランプアーム（６，７）は、前記デッキプレート（１）とは離隔する側の端部において拡張に対して相互にロックされている、ことを特徴とする固定装置。
【請求項９】
請求項１から７までのいずれか一項記載の固定装置において、
各外側脚部（１０）には、他方の外側脚部（１０）の方向に伸長する打抜き舌片（２９）が形成されており、
該打抜き舌片は、それぞれの外側脚部（１０）に対向する内側脚部（５）に設けられた空洞部（３０）を通って貫通している、ことを特徴とする固定装置。
【請求項１０】
請求項９記載の固定装置において、
各打抜き舌片（２９）の自由端部には平坦な端部部分（３２）が形成されており、
該平坦な端部部分（３２）は間隔をおいて相互にほぼ平行に対向して延在する、ことを特徴とする固定装置。
【請求項１１】
請求項６から１０までのいずれか一項記載の固定装置において、
前記側壁（１５，１６）には前記デッキプレート（１）とは離隔する側に、前記クランプアーム（６，７）の長手方向に対してほぼ直角に配向された背部端面（２７）が形成されており、
該背部端面は、収容切欠部（８）に突入するサポート突起（２８）に対向して配置されている、ことを特徴とする固定装置。
【発明の詳細な説明】
【技術分野】
【０００１】
本発明は、請求項１の上位概念による固定装置に関する。
【背景技術】
【０００２】
この種の固定装置は、ＤＥ３５２４６５１Ａ１から公知である。取付け部材を支持部材に固定するための公知の固定装置は、デッキプレートと、このデッキプレートの相互に対向する側に配置された２つのクランプアームとを有する。各クランプアームは、デッキプレートに装着された内側脚部と外側脚部を有する。ここで外側脚部の、デッキプレートに向いた側の端面には、支持構造部の平坦な舌片部分が成形されている。舌片部分は収容切欠部に係合する。この収容切欠部は、内側脚部に形成されており、舌片部分を密に取り囲む。ここで組付け（装着）状態では、舌片部分がデッキプレートに対して実質的に平行に配向され、取付け部材に対向する支持部材の裏面に支持されている。
【特許文献１】ＤＥ３５２４６５１Ａ１
【発明の開示】
【発明が解決しようとする課題】
【０００３】
確かにこの種の固定装置により非常に大きな引き抜き力が達成されるが、固定装置を比較的小さな公差内で支持部材の厚さに適合しなければならないことが欠点である。
【０００４】
本発明の基礎とする課題は、冒頭に述べた形式の固定装置を改善し、引き抜き力が比較的大きく、厚さが比較的大きな領域にわたって変化する支持部材と共に使用できるようにすることである。
【課題を解決するための手段】
【０００５】
この課題は冒頭に述べた形式の装置において、請求項１の特徴部分の構成によって解決される。
【発明を実施するための最良の形態】
【０００６】
本発明の装置において支持構造部が、外側脚部の側方縁部に成形され側壁を有し、この側壁が傾斜した端面を備えることによって、この側壁は収容切欠部にある程度の深さで沈む込み、これによりクランプアームがそれぞれの支持部材の厚さに自動的に適合する。
【０００７】
本発明のさらなる有利な構成は従属請求項の対象である。
【実施例】
【０００８】
図面を参照した本発明の有利な実施例の以下の説明から、さらなる有利な構成および利点が明らかとなる。
【０００９】
図１は、薄板から打ち抜かれ、折曲（加工）され、図１に図示しない支持部材に嵌め込むために設けられた本発明の装置の実施例を斜視図に示す。この本発明の装置は実質的に矩形のデッキプレート１を有する。デッキプレート１の相互に対向する長手側には、デッキプレート１から外側へ離れるように伸長（延在）するサポート舌片２が形成されている。このサポート舌片２は、図１の実施例ではデッキプレート１とは反対（離隔する）側の端部で階段状に湾曲されている。
【００１０】
デッキプレート１の中央には、ねじ構造３が例えば刻印ねじの形態で設けられており、このねじ構造には取付け部材を支持部材に固定するために、図１に図示しないねじをねじ込むことができる。
【００１１】
各サポート舌片２の両側にはそれぞれ１つの接続部分４が形成されており、この接続区間を介してクランプアーム６，７のそれぞれの内側脚部５がデッキプレート１に形成されている。内側脚部５は、デッキプレート１に隣接する領域にそれぞれ１つの収容切欠部８を有し、デッキプレート１の一方の側で相互に接するよう伸長している。これによりクランプアーム６，７は、デッキプレート１とは反対側の（離隔する）端部が有利には相互に当接するか、または少なくとも密に隣接して配置されている。
【００１２】
デッキプレート１とは反対側の（離隔する）端部にクランプアーム６，７は、それぞれ１つの折曲げ区間９（接続部分）を有する。この折曲げ区間はそれぞれの内側脚部５に形成されており、約１８０°折り曲げられている。この折曲げ区間にはさらにそれぞれ１つの外側脚部１０が形成されている。各外側脚部１０は折曲げ区間９から、内側に対向して配された内側脚部５に対してほぼ平行にデッキプレート１の方向に伸長し、デッキプレート１に向いた側の端面１１が、デッキプレート１から間隔をおいて終端している。この端面１１は、折曲げ区間９の形成領域の近くでの外側脚部１０の幅に対して細くなっている。また前記間隔は、本発明の固定装置により装着可能な支持部材の厚さよりも大きい。外側脚部１０の剛性を高めると共に、図１の本発明の装置の取付け力を低減するために、外側脚部１０にはそれぞれ１つのビードが取り付けられている。このビードは、外側脚部１０の長手方向にそれぞれ伸長し、外面が湾曲されている。
【００１３】
外側脚部１０の側方縁部１３，１４には、端面１１に隣接する領域にウィング状の側壁（複数）１５，１６が成形されている。これらの側壁（一対）は、元々は外側脚部１０の平面にあり、そこから実質的に直角に、対向するクランプアーム６，７の方向に曲げられており、相互にペアを成して対向している。外側脚部１０を越えて突出する側壁１５，１６の長さは、側壁１５，１６の領域における内側脚部５間の間隔よりも小さいか、または最大でも同じである。したがって外側脚部１０は内側脚部５に当接するまで荷重変形することができる。図１の実施例で、側壁１５，１６はそれぞれの内側脚部５の収容切欠部８に入り込む（ないし係合する、eingreifen）。
【００１４】
さらに図１から、側壁１５，１６はデッキプレート１に向いた側の端面１７においては、隆起部と凹部（の繰返し）により形成された段付き構造部１８が構成されていることが分かる。外側脚部１０から離れる側の端部では各側壁１５，１６に、デッキプレート１の方向に端面１７を越えて突出するブロック（阻止）ノーズ１９が終端隆起部として設けられている。側壁１５、１６の外側脚部１０とは反対（離隔する）側の端部からは、傾斜した背端面２０が外側脚部１０に向かって延在している。これにより各側壁１５，１６の大きさは、長手方向で外側脚部１０から外側脚部１０とは離隔する側の端部へ向かって連続的に減少している。
【００１５】
図２は、図１の実施例の断面を、差込み切欠部２１により構成された支持部材２２への組付け状態で示す。図２から、クランプアーム６，７を差込み切欠部２１を通して導入（挿入）した後、外側脚部１０は側壁１５，１６の端面１７が差込み切欠部２１の縁部に当接するまで弾性的に拡開（リバウンド、ausfedern）することが分かる。このときそれぞれの支持部材２２の厚さに応じて外側脚部１０はリバウンドする。ここで段付き構造部１８は、差込み切欠部２１の縁部と噛み合うので、ねじのねじ込みの際およびクランプアーム６，７のデッキプレート１とは離隔する側の端部が拡張する際に、外側脚部１０が内側脚部５の方向に意図せずに押し込まれるのを阻止するために用いられる。またブロックノーズ１９は、外側脚部１０が完全にリバウンドして伸びきるのを、支持部材２２の所定の最小厚さまで阻止する。
【００１６】
図３は、本発明の装置の別の一実施例の斜視図である。ここで図１、図２ならびに図３による実施例では、少なくとも機能的に相応するエレメントに同じ参照符合が付してあり、それ以上詳しく説明しない。図３からこの実施例では、内側脚部５の幅と外側脚部１０の幅が実質的に同じであり、従って内側脚部５は（一対の）側壁１５、１６の間に配置されていることが分かる。
【００１７】
図４は、図３の実施例を長手方向の断面で示す図である。図４から、この実施例では側壁１５，１６の端面１７が滑らかに平坦に構成されていることが分かる。一方、ブロックノーズ１９はそれぞれ、外側脚部１０の方向に開放した工具装着凹部２３により凹部として構成されている。
【００１８】
図３と図４の実施例は、ねじを収容するためのねじ構造を備えずに構成されており、支持部材の差込み切欠部に挿入される。このとき締付け作用は外側脚部１０の弾性的拡開（リバウンド）だけによって達成される。図３と図４には図示されていない解除工具を工具装着凹部２３に導入することによって、外側脚部１０は内側脚部５の方向に、外側脚部１０の端面１１が差込み切欠部の周縁部内になり、したがって本発明の装置を再び支持部材から引き出すことができるようになるまで運動する。この取り外し可能性は、側壁１５，１６の滑らかで平坦な端面１７によって支援される。なぜなら差込み切欠部の囲いと顕著な噛み合いが発生しないからである。
【００１９】
図５は、本発明の装置の（さらに）別の一実施例の長手方向斜視図である。ここで図１から図４および図５による実施例に相応するエレメントには同じ参照符合が付してあり、それ以上詳しく説明しない。図５の実施例では、各内側脚部５のそれぞれの接続部分９の領域には、横方向に伸長する後方把持（係止）ウェブ２４と、別の内側脚部５の方向に伸長し、デッキプレート１の方向に折り曲げられた後方把持舌片２５とが形成されている。この後方把持舌片２５は、他方のクランプアーム６，７の折り曲げ区内（接続部分）９に設けられた貫通切欠部２６を貫通し、他方の内側脚部５の後方把持係止ウェブ２４を後方から把持（キャッチ）する。このことによってクランプアーム６は、デッキプレート１とは離隔する側の端部では拡張に対して相互にロック（阻止拘束）される。このことはとりわけ片側が負荷される場合に有利であり、片側が負荷される場合にクランプアーム６，７が曲がるのを回避する。
【００２０】
さらに図５から、側壁１５，１６にはデッキプレート１とは離隔する側に、有利にはクランプアーム６，７の長手方向に対してほぼ直角に配向された背部端面２７が形成されていることが分かる。この背部端面は、収容切欠部８に突入する、図５ではその縁部エッジが図示されたサポート突起２８に対向して配置されている。このことにより図５の実施例による固定装置は引っ張り負荷に対して安定している。なぜなら引っ張り負荷が及ぼされる際に、背部端面２７はサポート突起２８に支持（抗支）されるからである。
【００２１】
図６は、本発明の装置の（さらに）別の一実施例の長手方向斜視図である。ここで図１から図５および図６による実施例に相応するエレメントには同じ参照符合が付してあり、それ以上詳しく説明しない。図６の実施例では、各クランプアーム６，７の外側脚部１０に、他方のクランプアーム６，７の方向に伸長する打抜き（爪状）舌片２９が成形されている。この打抜き舌片は、対向する内側脚部５に設けられた空洞部３０を貫通し、（一対の）クランプアーム６，７の間に形成されたねじ収容空間３１に突入する。各打抜き舌片２９はそれぞれ外側脚部１０とは離隔する側の自由端部で、平坦な端部部分３２を以て折り曲げ区間９の方向に折り曲げられている。ここで端部部分３２は相互にほぼ平行に配向されており、長手方向にねじ収容空間３１の中央で間隔をおいて相互に対向している。
【００２２】
図６の実施例ではデッキプレート１に、ねじ収容空間３１に突入するねじ込みスリーブ３３が成形されており、このねじ込みスリーブは内側細目ねじを備える。このねじ込みスリーブには図６に図示しない、内側細目ねじに適合する外側細目ねじを備えるねじをねじ込むことができる。端部部分３２をねじ収容空間３１のほぼ中央に配置することによって、クランプアーム６，７は非常に早期に、まず外側脚部１０の広がりにより、次に内側脚部５の折曲げ区間９により変形する。
【図面の簡単な説明】
【００２３】
【図１】図１は、本発明の固定装置の一実施例の斜視図である。
【図２】図２は、図１の実施例の組付け状態での断面図である。
【図３】図３は、本発明の装置の別の一実施例の斜視図である。
【図４】図４は、図３の実施例の断面図である。
【図５】図５は、本発明の固定装置の更に別の一実施例の断面図であり、その自由端部で相互にロックされたクランプアームを備えている。
【図６】図６は、本発明の固定装置のさらに別の一実施例の断面図であり、クランプアーム間に形成されたねじ収容空間に伸長する爪状舌片を備えている。
【符号の説明】
【００２４】
１          デッキプレート
５          内側脚部
６，７      クランプアーム
１０        外側脚部
１３，１４  側方縁部
１５，１６  側壁
１９        終端隆起部
２３        凹部
２４        後方把持係止ウェブ（Hintergriffsteg ）
２５        後方把持舌片（Hintergriffzunge）
２７        背部端面（Rueckseite）
２８        サポート突起
２９        打抜き（爪状）舌片（Spreizzunge）
３２        端部部分
【図１】
2009534611.tif 000003
【図２】
2009534611.tif 000004
【図３】
2009534611.tif 000005
【図４】
2009534611.tif 000006
【図５】
2009534611.tif 000007
【図６】
2009534611.tif 000008
【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
支持部材（２２）に嵌め込むための固定装置であって、デッキプレート（１）と、２つのクランプアーム（６，７）とを備え、
前記クランプアーム（６，７）は、前記デッキプレート（１）の対向する縁部側に形成されており、かつ該デッキプレート（１）の一方の側で相互に対向しており、
前記各クランプアーム（６，７）は、他方のクランプアーム（６，７）に向いた内側脚部（５）と、他方のクランプアーム（６，７）とは離隔する側の外側脚部（１０）とを有し、
該外側脚部は接続部分（９）によって、前記デッキプレート（１）とは離隔する側の内側脚部（５）の端部と接続されており、前記デッキプレート（１）に向いた側の端部には支持構造部を有し、
各クランプアーム（６）の支持構造部は２つの平坦な側壁（１５，１６）によって形成されており、
該側壁は、それぞれの外側脚部（１０）の相互に対向する側方縁部（１３，１４）に形成されており、かつ他方のクランプアーム（６，７）の方向に伸長しており、
前記各側壁（１５，１６）は、前記デッキプレート（１）に対して斜めに配向された端面（１７）を有し、
該端面は、それぞれの外側脚部（１０）とは離隔する側の端部から該外側脚部（１０）の方向に降下している形式の固定装置において、
前記各内側脚部（５）には収容切欠部（８）が形成されており、
該収容切欠部には、対向する外側脚部（１０）に設けられた側壁（１５，１６）が係合する、ことを特徴とする固定装置。
【請求項２】
請求項１記載の固定装置において、
前記側壁（１５，１６）の、前記外側脚部（１０）を越えて突出する長さは、前記側壁（１５，１６）の領域における前記内側脚部（５）間の間隔より小さいか、または最大でも同じである、ことを特徴とする固定装置。
【請求項３】
請求項１または２記載の固定装置において、
前記デッキプレート（１）にはねじ構造体（３）が、前記各側壁（１５，１６）の各端面（１７）には隆起部と凹部を備える段付き構造体（１８）が形成されている、ことを特徴とする固定装置。
【請求項４】
請求項１から３までのいずれか一項記載の固定装置において、
前記側壁（１５，１６）の、前記外側脚部（１０）とは離隔する側の端部には、前記デッキプレート（１）の方向に伸長する終端隆起部（１９）がそれぞれ１つ形成されている、ことを特徴とする固定装置。
【請求項５】
請求項４記載の固定装置において、
前記終端隆起部（１９）は、前記外側脚部（１０）を向いて開放した凹部（２３）がそれぞれ形成されている、ことを特徴とする固定装置。
【請求項６】
請求項１から５までのいずれか一項記載の固定装置において、
各内側脚部（５）にはそれぞれの接続部分（９）の領域で、横方向に伸長する後方把持係止ウェブ（２４）と、他方の内側脚部（５）の方向に伸長する後方把持舌片（２５）とが形成されており、
該後方把持舌片は、他方の内側脚部（５）の後方把持係止ウェブ（２４）を後方からキャッチ係止し、これにより前記クランプアーム（６，７）は、前記デッキプレート（１）とは離隔する側の端部において拡張に対して相互にロックされている、ことを特徴とする固定装置。
【請求項７】
請求項１から５までのいずれか一項記載の固定装置において、
各外側脚部（１０）には、他方の外側脚部（１０）の方向に伸長する打抜き舌片（２９）が形成されており、
該打抜き舌片は、それぞれの外側脚部（１０）に対向する内側脚部（５）に設けられた空洞部（３０）を通って貫通している、ことを特徴とする固定装置。
【請求項８】
請求項７記載の固定装置において、
各打抜き舌片（２９）の自由端部には平坦な端部部分（３２）が形成されており、
該平坦な端部部分（３２）は間隔をおいて相互にほぼ平行に対向して延在する、ことを特徴とする固定装置。
【請求項９】
請求項１から８までのいずれか一項記載の固定装置において、
前記側壁（１５，１６）には前記デッキプレート（１）とは離隔する側に、前記クランプアーム（６，７）の長手方向に対してほぼ直角に配向された背部端面（２７）が形成されており、
該背部端面は、収容切欠部（８）に突入するサポート突起（２８）に対向して配置されている、ことを特徴とする固定装置。
【手続補正書】
【提出日】平成20年10月29日(2008.10.29)
【手続補正１】
【補正対象書類名】明細書
【補正対象項目名】０００１
【補正方法】変更
【補正の内容】
【０００１】
本発明は、固定装置、特に請求項１の上位概念による固定装置に関する。即ち、支持部材に嵌め込むための固定装置であって、デッキプレートと、２つのクランプアームとを備えた固定装置に関する。
【手続補正２】
【補正対象書類名】明細書
【補正対象項目名】０００５
【補正方法】変更
【補正の内容】
【０００５】
この課題は冒頭に述べた形式の固定装置において、請求項１の特徴部分の構成によって解決される。
即ち、固定装置において、前記クランプアームは、前記デッキプレートの対向する縁部側に形成されており、かつ該デッキプレートの一方の側で相互に対向しており、前記各クランプアームは、他方のクランプアームに向いた内側脚部と、他方のクランプアームとは離隔する側の外側脚部とを有し、該外側脚部は接続部分によって、前記デッキプレートとは離隔する側の内側脚部の端部と接続されており、前記デッキプレートに向いた側の端部には支持構造部を有し、各クランプアームの支持構造部は２つの平坦な側壁によって形成されており、該側壁は、それぞれの外側脚部の相互に対向する側方縁部に形成されており、かつ他方のクランプアームの方向に伸長しており、前記各側壁は、前記デッキプレートに対して斜めに配向された端面を有し、該端面は、それぞれの外側脚部とは離隔する側の端部から該外側脚部の方向に降下している形式の固定装置において、前記各内側脚部には収容切欠部が形成されており、該収容切欠部には、対向する外側脚部に設けられた側壁が係合する、ことを特徴とする。
なお、特許請求の範囲に付記した図面参照番号は専ら本発明の理解を助けるためのものであり、図示の態様に本発明を限定することを意図するものではない。
【手続補正３】
【補正対象書類名】明細書
【補正対象項目名】０００７
【補正方法】変更
【補正の内容】
【０００７】
本発明のさらなる有利な構成は従属請求項の対象である。以下に有利な構成を掲げる。
即ち、前記側壁の、前記外側脚部を越えて突出する長さは、前記側壁の領域における前記内側脚部間の間隔より小さいか、または最大でも同じである、ことが好ましい。（形態２）
前記デッキプレートにはねじ構造体が、前記各側壁の各端面には隆起部と凹部を備える段付き構造体が形成されている、ことが好ましい。（形態３）
前記側壁の、前記外側脚部とは離隔する側の端部には、前記デッキプレートの方向に伸長する終端隆起部がそれぞれ１つ形成されている、ことが好ましい。（形態４）
前記終端隆起部は、前記外側脚部を向いて開放した凹部がそれぞれ形成されている、ことが好ましい。（形態５）
各内側脚部にはそれぞれの接続部分の領域で、横方向に伸長する後方把持係止ウェブと、他方の内側脚部の方向に伸長する後方把持舌片とが形成されており、該後方把持舌片は、他方の内側脚部の後方把持係止ウェブを後方からキャッチ係止し、これにより前記クランプアームは、前記デッキプレートとは離隔する側の端部において拡張に対して相互にロックされている、ことが好ましい。（形態６）
各外側脚部には、他方の外側脚部の方向に伸長する打抜き舌片が形成されており、該打抜き舌片は、それぞれの外側脚部に対向する内側脚部に設けられた空洞部を通って貫通している、ことが好ましい。（形態７）
各打抜き舌片の自由端部には平坦な端部部分が形成されており、該平坦な端部部分は間隔をおいて相互にほぼ平行に対向して延在する、ことが好ましい。（形態８）
前記側壁には前記デッキプレートとは離隔する側に、前記クランプアームの長手方向に対してほぼ直角に配向された背部端面が形成されており、該背部端面は、収容切欠部に突入するサポート突起に対向して配置されている、ことが好ましい。（形態９）
【国際調査報告】
2009534611.tif 000009
2009534611.tif 000010
2009534611.tif 000011
2009534611.tif 000012
2009534611.tif 000013
2009534611.tif 000014